(57)【要約】【課題】水晶発振器等を増やさずデジタル処理にてＴＶ信号の放送方式を一定の短時間で判別する。【解決手段】ＴＶ信号をデジタル変換する。ライン数判別回路３２にてライン数を判別する。５２５本系の場合、３.５８ＭＨｚＢＰＦ１１，４.４３ＭＨｚＢＰＦ１２の出力のバースト部分をフィールド単位で平均値を算出しレベルをコンパレータ１５で比較し、４.４３ＭＢＰＦ１２出力が大きければ擬似ＰＡＬ、ＢＰＦ１１が大きければＮＴＳＣ／ＰＡＬ−Ｍと判定する。縦接続１Ｈラインメモリ２，３を用い隣接２ライン間，２ライン先間を加算し結果をフィールド単位で平均値を算出しコンパレータ８で比較しＮＴＳＣ／ＰＡＬ−Ｍを判別する。６２５本系も同様に２つのＢＰＦ出力レベルを比較し３.５８Ｍが大きければＰＡＬ−Ｎ、小さければＦＭ復調後にＤＢ／ＤＲ判別から異常フィールドを判定しその数が閾値以上であればＰＡＬ、以下であればＳＥＣＡＭと判定する。【選択図】        図１
2004208143.tif 000002
【特許請求の範囲】
【請求項１】
入力された映像信号の放送方式を、該映像信号をデジタル変換したデジタル信号から判別するテレビジョン信号判別装置であって、
前記デジタル信号のライン数が５２５本か６２５本かを判別するライン数判別手段と、
前記デジタル信号をフィルタリングする、３.５８ＭＨｚの色副搬送波周波数を中心周波数とする帯域通過フィルタ及び４.４３ＭＨｚの色副搬送波周波数を中心周波数とする帯域通過フィルタを有し、３.５８ＭＨｚ帯域通過フィルタの出力のレベルと４.４３ＭＨｚ帯域通過フィルタの出力のレベルとを比較するレベル比較手段と、
前記デジタル信号をフィルタリングする３.５８ＭＨｚ帯域通過フィルタを有し、該３.５８ＭＨｚ帯域通過フィルタでフィルタリングした後のバースト部分において、極性の反転が１ライン毎にあるか２ライン毎にあるかを判別するライン極性反転判別手段と、
前記デジタル信号の色信号をＦＭ復調し、該復調した結果の１フィールド中における色差信号の判別誤りをカウントし、該カウント数が所定の閾値を越えるか否かで異常なフィールドを判定し、該異常なフィールドの数が所定の閾値を越えるか否かを判別する異常フィールド数判別手段と、
前記ライン数判別手段，前記レベル比較手段，前記ライン極性反転判別手段，前記異常フィールド数判別手段の各手段の出力に基づいて、映像信号の放送方式を判別する放送方式判別手段と、
を備えることを特徴とするテレビジョン信号判別装置。
【請求項２】
前記デジタル信号の色信号から色差信号を色復調し、該色復調した後の色差信号のバースト部分において、１ライン毎に極性が反転した回数を１フィールド中でカウントし、該カウント数が所定の閾値を越えるか否かで、１ライン毎に極性が反転する信号を判定するライン極性反転信号判定手段を備え、前記放送方式判別手段は、前記ライン数判別手段，前記レベル比較手段，前記ライン極性反転判別手段，前記異常フィールド数判別手段，前記ライン極性反転信号判定手段の各手段の出力に基づいて、映像信号の放送方式を判別することを特徴とする請求項１記載のテレビジョン信号判別装置。
【請求項３】
前記ライン極性反転信号判定手段は、前記デジタル信号の色信号から色差信号を復調する色復調回路と、該色復調回路の復調結果におけるバースト部分の色差（Ｒ−Ｙ）軸が１フィールド中に反転する回数をカウントする反転回数計測回路と、を有することを特徴とする請求項２記載のテレビジョン信号判別装置。
【請求項４】
前記放送方式判別手段は、ＮＴＳＣ方式とＰＡＬ−Ｍ方式との判別に際し、前記反転回数計測回路の出力が所定の閾値より小さければＮＴＳＣ方式であると優先的に判別し、前記反転回数計測回路の出力が前記所定の閾値以上であればＰＡＬ−Ｍ方式であると優先的に判別することを特徴とする請求項３記載のテレビジョン信号判別装置。
【請求項５】
前記ライン数判別手段は、前記デジタル信号の垂直同期，水平同期を分離する同期分離回路と、該同期分離回路の出力である垂直同期信号間の水平同期信号数をカウントし走査線数が５２５本か６２５本かを判別するライン数判別回路と、を有することを特徴とする請求項１乃至４のいずれか１記載のテレビジョン信号判別装置。
【請求項６】
前記放送方式判別手段は、前記ライン数判別手段の判別結果が５２５本の場合、ＮＴＳＣ方式，ＰＡＬ−Ｍ方式，擬似ＰＡＬ方式のいずれかであることを判別し、前記ライン数判別手段の判別結果が６２５本の場合、ＰＡＬ−Ｎ方式，ＰＡＬ方式，ＳＥＣＡＭ方式のいずれかであることを判別することを特徴とする請求項１乃至５のいずれか１記載のテレビジョン信号判別装置。
【請求項７】
前記レベル比較手段は、前記３.５８ＭＨｚ帯域通過フィルタの出力のバースト部分における絶対値の平均値を算出する第１平均値算出回路と，前記４.４３ＭＨｚ帯域通過フィルタの出力のバースト部分における絶対値の平均値を算出する第２平均値算出回路と、前記第１平均値算出回路の出力と前記第２平均値算出回路の出力とを比較するコンパレータと、を有することを特徴とする請求項１乃至６のいずれか１記載のテレビジョン信号判別装置。
【請求項８】
前記放送方式判別手段は、前記ライン数判別手段の判別結果が５２５本であった場合、前記第１平均値算出回路の出力が前記第２平均値算出回路の出力より大きければＮＴＳＣ方式，ＰＡＬ−Ｍ方式のいずれかであると判別し、小さければ擬似ＰＡＬ方式であると判別し、前記ライン数判別手段の判別結果が６２５本であった場合、前記第１平均値算出回路の出力が前記第２平均値算出回路の出力より大きければＰＡＬ−Ｎ方式であると判別し、小さければＰＡＬ方式，ＳＥＣＡＭ方式のいずれかであると判別することを特徴とする請求項７記載のテレビジョン信号判別装置。
【請求項９】
前記ライン極性反転判別手段は、前記デジタル信号を１水平期間遅延させる第１の１Ｈラインメモリと、該第１の１Ｈラインメモリに縦続に接続された第２の１Ｈラインメモリと、前記第１の１Ｈラインメモリの出力を用いて、０Ｈと１Ｈとを加算し、前記３.５８ＭＨｚ帯域通過フィルタを通過させた出力のバースト部分における絶対値の平均値を算出する第１加算平均値算出回路と、前記第２の１Ｈラインメモリの出力を用いて、０Ｈと２Ｈとを加算し、前記３.５８ＭＨｚ帯域通過フィルタを通過させた出力のバースト部分における絶対値の平均値を算出する第２加算平均値算出回路と、前記第１加算平均値算出回路の出力と前記第２加算平均値算出回路の出力とを比較するコンパレータと、を有することを特徴とする請求項１乃至８のいずれか１記載のテレビジョン信号判別装置。
【請求項１０】
前記放送方式判別手段は、ＮＴＳＣ方式とＰＡＬ−Ｍ方式との判別に際し、前記第１加算平均値算出回路の出力が前記第２加算平均値算出回路の出力より小さければＮＴＳＣ方式であると判別し、前記第１加算平均値算出回路の出力が前記第２加算平均値算出回路の出力より大きければＰＡＬ−Ｍ方式であると判別することを特徴とする請求項９記載のテレビジョン信号判別装置。
【請求項１１】
前記異常フィールド数判別手段は、前記デジタル信号の色信号をＦＭ復調するＳＥＣＡＭ方式用のＦＭ復調回路であるＳＥＣＡＭ色復調回路と、該ＳＥＣＡＭ色復調回路で復調した結果の１フィールド中における色差信号（ＤＢ／ＤＲ）の判別誤りを算出しカウントする誤り数算出回路と、該誤り数算出回路におけるカウント数が所定の閾値を越えるか否かで異常なフィールドを判定し、該異常なフィールドの数が所定の閾値を越えるか否かを判別する異常フィールド数判別回路と、を有することを特徴とする請求項１乃至１０のいずれか１記載のテレビジョン信号判別装置。
【請求項１２】
前記放送方式判別手段は、前記ライン数判別手段の判別結果が６２５本であった場合、前記異常フィールド数判別手段の判別結果が、前記異常なフィールドの数に対する前記所定の閾値以上であればＰＡＬ方式であると判別し、前記所定の閾値を超えなければＳＥＣＡＭ方式であると判別することを特徴とする請求項１１記載のテレビジョン信号判別装置。
【請求項１３】
請求項１乃至１２のいずれか１記載のテレビジョン信号判別装置を備え、該テレビジョン信号判別装置により判別されたテレビジョン信号に応じた信号処理を行うことを特徴とするテレビジョン信号処理装置。
【発明の詳細な説明】
【０００１】
【発明の属する技術分野】
本発明は、テレビジョン信号判別装置及びテレビジョン信号処理装置に関し、より詳細には、全世界の一般的なテレビジョン信号の放送方式を自動判別することが可能なテレビジョン信号判別装置、及びそれを備えたテレビジョン信号処理装置に関する。
【０００２】
【従来の技術】
通常、ＮＴＳＣ（National Television System Committee），ＰＡＬ（Phase Alternation by Line），ＳＥＣＡＭ（SEquentielle Couleur A Memoire）など、方式の異なる信号を映し出せるマルチ方式テレビジョン受像機は、テレビジョン受像機側で放送方式を自動的に判別できるテレビジョン信号判別装置（放送方式自動判別装置ともいえる）を内部に又は外付けで設け、この装置によって、それぞれの放送方式のテレビジョン信号（以下、ＴＶ信号という）を自動判別し、それに応じた方法でＴＶ信号に対して信号処理を行っている（例えば、特許文献１を参照）。一般的には、この種のＴＶ信号判別装置は、それぞれの放送方式のＴＶ信号中に色の情報を伝達するために設けられる色副搬送波（ＳＣ）の周波数の違いによって、放送方式の自動判別を行う。
【０００３】
図２は、従来技術によるＴＶ信号判別装置の一構成例を示すブロック図である。
図２において説明するＴＶ信号判別装置は、特許文献１に記載の装置であり、判別時間が短縮でき且つ各種の誤動作を防止して、放送方式の自動的に判別する装置である。図２に示すように、このＴＶ信号判別装置は、入力端子４１、自動カラー制御（ＡＣＣ：Automatic Color Control）回路４２、キラー回路４３、自動位相制御（ＡＰＣ：Automatic Phase Control）回路４４、スイッチ４５、自動判別制御回路４６及び二つの水晶発振器Ｘt1，Ｘt2によって構成されている。
【０００４】
入力端子４１に帯域増幅器及びカラーバースト信号増幅器によって、得られたカラーバースト信号が入力される。ＡＣＣ回路４２は、入力されたカラーバースト信号の振幅を検出し、これを基に直流電圧を発生し、増幅回路の利得を調整することにより、カラー映像信号の色の濃さを一定に保つように制御する。キラー回路４３は、ＡＣＣ回路４２からの信号及びＡＰＣ回路４４からの信号を受けて、カラーバースト信号の有無を検出し、カラーバースト信号が検出されるとき、オフ状態を示すキラー信号ＳＧ３を出力し、カラーバースト信号が検出されないとき、オン状態を示すキラー信号ＳＧ３を出力する。通常、キラー回路４３の出力信号ＳＧ３によって、受信したテレビ信号がカラー信号であるか、白黒信号であるかが判断される。そして、カラー信号のとき、色復調のための帯域増幅回路が動作されるが、白黒信号のとき、色復調のための帯域増幅回路の動作が停止され、白黒映像信号における色ノイズの発生が抑制される。ここで、このキラー回路４３の出力信号ＳＧ３が、放送方式の自動判別に用いられる。ＡＰＣ回路４４はカラーバースト信号を基準にして、カラーバースト信号と同周波数の発振信号を発生する。この発振信号が色復調のための基準副搬送波として、出力端子ＴOUT に出力され、色復調回路に入力される。スイッチ４５は自動判別制御回路４６からの制御信号ＳＧ６を受けて、水晶発振器Ｘt1又は水晶発振器Ｘt2のいずれかの発振器を選択し、選択した発振器の発振信号をＡＰＣ回路４４に入力させる。
【０００５】
図２に示すＴＶ信号判別装置では、まず、受信したテレビ信号をＰＡＬ放送方式と想定し、キラー回路４３の出力をチェックする。仮にキラー回路４３の出力信号ＳＧ３がオン状態を示す信号であると、受信信号がＰＡＬ放送方式ではないと判断され、次の放送方式、例えばＮＴＳＣ放送方式を判別するステップに動作を進める。ここで、キラー回路４３の出力信号ＳＧ３がオフ状態を示す信号であるとき、ＡＰＣ回路４４のロック状態がチェックされ、ＡＰＣ回路４４がロックされているとき、受信信号はＰＡＬ放送方式の信号と判断する。仮にＡＰＣ回路４４がロックされていないとすると、再びＰＡＬ放送方式の信号を想定し、キラー回路４３の出力信号ＳＧ３がチェックされる。
【０００６】
このようにして、キラー回路とＡＰＣのロック状態をチェックし、水晶発振器Ｘ′ｔａｌ（ここでは水晶発振器Ｘt1，Ｘt2）を切り替えながらキラーがオフでＡＰＣがロックする状態を見つけに行き放送方式を判別する。
【０００７】
【特許文献１】
特開平９−６５３４３号公報
【０００８】
【発明が解決しようとする課題】
しかしながら、上述のごとき従来技術によれば、ＴＶ信号の判別のために複数の水晶発振器Ｘ′ｔａｌをその周辺に必要とするので、デジタル化には不向きである。また、対応する放送方式の数が水晶発振器の数に依存するという問題がある。さらに、その判別方法はキラーとＡＰＣロックを共に満足する放送方式を順次探索するアルゴリズムなので、一致する放送方式を検出するのに時間がかかる場合があり、検出時間が常に一定ではないという問題もある。
【０００９】
本発明は、上述のごとき実情を鑑みてなされたものであり、デジタル処理にて一般的なテレビジョン信号の放送方式を自動判別することが可能で、水晶発振器のような周辺部品を増やすことなく且つ放送方式の検出時間も短く一定にできる、テレビジョン信号判別装置及びそれを備えたテレビジョン信号処理装置を提供することをその目的とする。
【００１０】
【課題を解決するための手段】
本発明に係るテレビジョン（ＴＶ）信号判別装置は、入力された映像信号の放送方式を、その映像信号をデジタル変換したデジタル信号から判別する装置であって、デジタル信号のライン数が５２５本か６２５本かを判別するライン数判別手段と、デジタル信号をフィルタリングする、３.５８ＭＨｚの色副搬送波周波数を中心周波数とする帯域通過フィルタ及び４.４３ＭＨｚの色副搬送波周波数を中心周波数とする帯域通過フィルタを有し、３.５８ＭＨｚ帯域通過フィルタの出力のレベルと４.４３ＭＨｚ帯域通過フィルタの出力のレベルとを比較するレベル比較手段と、デジタル信号をフィルタリングする３.５８ＭＨｚ帯域通過フィルタを有し、３.５８ＭＨｚ帯域通過フィルタでフィルタリングした後のバースト部分において、極性の反転が１ライン毎にあるか２ライン毎にあるかを判別するライン極性反転判別手段と、デジタル信号の色信号をＦＭ復調し、その復調結果の１フィールド中における色差信号の判別誤りをカウントし、カウント数が所定の閾値を越えるか否かで異常なフィールドを判定し、異常なフィールドの数が所定の閾値を越えるか否かを判別する異常フィールド数判別手段と、ライン数判別手段，レベル比較手段，ライン極性反転判別手段，異常フィールド数判別手段の各手段の出力に基づいて、映像信号の放送方式を判別する放送方式判別手段と、を備えることを特徴としたものである。
【００１１】
また、上述のＴＶ信号判別装置において、デジタル信号の色信号から色差信号を色復調し、色復調した後の色差信号のバースト部分において、１ライン毎に極性が反転した回数を１フィールド中でカウントし、カウント数が所定の閾値を越えるか否かで、１ライン毎に極性が反転する信号を判定するライン極性反転信号判定手段を備え、放送方式判別手段は、ライン数判別手段，レベル比較手段，ライン極性反転判別手段，異常フィールド数判別手段，ライン極性反転信号判定手段の各手段の出力に基づいて、映像信号の放送方式を判別することを特徴とするようにしてもよい。
【００１２】
また、本発明は、上述のいずれかのＴＶ信号判別装置を備え、このＴＶ信号判別装置により判別されたＴＶ信号に応じた信号処理を行うようにしたＴＶ信号処理装置としての形態も採り得る。
【００１３】
【発明の実施の形態】
図１は、本発明の一実施形態に係るＴＶ信号判別装置の一構成例を示すブロック図である。
本発明に係るＴＶ信号判別装置は、全世界の一般的なＴＶ信号方式（ＮＴＳＣ，ＰＡＬ，ＳＥＣＡＭ，ＰＡＬ−Ｍ，ＰＡＬ―Ｎ，擬似ＰＡＬ）を自動判別することが可能な装置である。なお、同装置においてその他のＴＶ信号方式が入力された場合にはエラー信号を出力するなどの処理を行えばよい。また、本発明は、以下に説明するＴＶ信号判別装置を備え、このＴＶ信号判別装置により判別されたＴＶ信号に応じた信号処理を行う、ＴＶ信号受信機等のＴＶ信号処理装置としての形態も採り得るが、通常のＴＶ受像機やＴＶ受像機能をもった録画装置やコンピュータなど極一般的なＴＶ信号受信機に、本発明に係るＴＶ信号判別装置を備えたものであり、その説明を省略する。また、ＴＶ信号処理装置としては、その他、以下に説明するＴＶ信号判別装置を備え、さらにＤＶＤ信号再生機能などのＴＶ信号を読み取る機能を備えたＴＶ信号再生装置や、読み取った信号を記録媒体に記録するＴＶ信号記録装置などの形態も含むものとするが、同様の理由からその説明を省略する。
【００１４】
本発明に係るＴＶ信号判別装置は、入力された映像信号の放送方式を、映像信号をデジタル変換したデジタル信号から判別する。この放送方式の判別には、当該ＴＶ信号判別装置に備えられる、ライン数判別手段，レベル比較手段，ライン極性反転判別手段，異常フィールド数判別手段，放送方式判別手段を用いるものとする。ライン数判別手段では、デジタル信号のライン数が５２５本か６２５本かを判別する。レベル比較手段では、デジタル信号をフィルタリングする、３.５８ＭＨｚ（ＮＴＳＣ方式等でバースト信号周波数として使用；＝３.５７９５４５…ＭＨｚ），４.４３ＭＨｚ（ＰＡＬ方式等でバースト信号周波数として使用；＝４.４３…ＭＨｚ）の色副搬送波周波数を中心周波数とする各帯域通過フィルタ（以下、ＢＰＦと略す）が備えられ、３.５８ＭＨｚＢＰＦの出力のレベルと４.４３ＭＨｚＢＰＦの出力のレベルとを比較する。ライン極性反転判別手段では、３.５８ＭＨｚＢＰＦが備えられ、３.５８ＭＨｚＢＰＦでフィルタリングした後のバースト部分において、極性の反転が１ライン毎にあるか２ライン毎にあるかを判別する。異常フィールド数判別手段では、デジタル信号の色信号をＦＭ復調し、その復調結果の１フィールド中における色差信号の判別誤りをカウントし、カウント数が所定の閾値を越えるか否かで異常なフィールドを判定し、その異常なフィールドの数が所定の閾値を越えるか否かを判別する。放送方式判別手段では、上述の各手段の出力に基づいて、映像信号の放送方式を判別する。
【００１５】
図１に基づき、本発明の一実施形態に係るＴＶ信号判別装置の一構成例を説明する。
本構成例のＴＶ信号判別装置では、ライン数判別手段として、同期分離回路３１及びライン数判別回路３２を有するものとする。同期分離回路３１では、デジタル処理されたコンポジット信号の垂直同期，水平同期を分離する。ライン数判別回路３２では、同期分離回路３１の出力である垂直同期信号間の水平同期信号数をカウントし走査線数が５２５本か６２５本かを判別する。
【００１６】
モード判定回路１０として例示する放送方式判別手段は、ライン数判別手段の判別結果が５２５本の場合、ＮＴＳＣ方式，ＰＡＬ−Ｍ方式，擬似ＰＡＬ方式のいずれかであることを判別し、判別結果が６２５本の場合、ＰＡＬ−Ｎ方式，ＰＡＬ方式，ＳＥＣＡＭ方式のいずれかであることを判別する。
【００１７】
本構成例におけるレベル比較手段は、３.５８ＭＨｚＢＰＦ（１１），４.４３ＭＨｚＢＰＦ（１２），第１平均値算出回路１３，第２平均値算出回路１４，コンパレータ１５を備えるものとする。第１平均値算出回路１３は、３.５８ＭＨｚＢＰＦ（１１）の出力のバースト部分における絶対値の平均値を算出する回路で、ここでは、バースト内絶対値の平均値算出回路として図示している。第２平均値算出回路１４は、４.４３ＭＨｚＢＰＦ（１２）の出力のバースト部分における絶対値の平均値を算出する回路で、ここでは、バースト内絶対値の平均値算出回路として図示している。なお、ここでは第１平均値算出回路１３及び第２平均値算出回路１４は、フィールド単位で絶対値の平均値を算出するものとするが、それに限らない。コンパレータ１５では、第１平均値算出回路１３の出力と第２平均値算出回路１４の出力とを比較する。
【００１８】
モード判定回路１０では、ライン数判別手段の判別結果が５２５本であった場合、第１平均値算出回路１３の出力が第２平均値算出回路１４の出力より大きければＮＴＳＣ方式，ＰＡＬ−Ｍ方式のいずれかであると判別し、小さければ擬似ＰＡＬ方式であると判別する。一方、ライン数判別手段の判別結果が６２５本であった場合、第１平均値算出回路１３の出力が第２平均値算出回路１４の出力より大きければＰＡＬ−Ｎ方式であると判別し、小さければＰＡＬ方式，ＳＥＣＡＭ方式のいずれかであると判別する。
【００１９】
本構成例におけるライン極性反転判別手段は、第１の１Ｈラインメモリ（２）と、第２の１Ｈラインメモリ（３）と、３.５８ＭＨｚＢＰＦ（４），３.５８ＭＨｚＢＰＦ（５），第１加算平均値算出回路６，第２加算平均値算出回路７，コンパレータ８を備えるものとする。
【００２０】
第１の１Ｈラインメモリ（２）は、デジタル信号を１水平期間遅延させるメモリで、第２の１Ｈラインメモリ（３）は、第１の１Ｈラインメモリ（２）に縦続に接続された、同様の１Ｈラインメモリである。第１加算平均値算出回路６は、第１の１Ｈラインメモリ（２）の出力を用いて、０Ｈと１Ｈとを加算し、３.５８ＭＨｚＢＰＦ（４）を通過させた出力のバースト部分における絶対値の平均値を算出する回路で、ここでは、バースト内絶対値の平均値算出回路として図示している。第２加算平均値算出回路７は、第２の１Ｈラインメモリ（３）の出力を用いて、０Ｈと２Ｈとを加算し、３.５８ＭＨｚＢＰＦ（５）を通過させた出力のバースト部分における絶対値の平均値を算出する回路で、ここでは、バースト内絶対値の平均値算出回路として図示している。なお、ここでは第１加算平均値算出回路６及び第２加算平均値算出回路７は、フィールド単位で絶対値の平均値を算出するものとするが、それに限らない。コンパレータ８では、第１加算平均値算出回路６の出力と第２加算平均値算出回路７の出力とを比較する。
【００２１】
モード判定回路１０では、ＮＴＳＣ方式とＰＡＬ−Ｍ方式との判別に際し、第１加算平均値算出回路６の出力が第２加算平均値算出回路７の出力より小さければＮＴＳＣ方式であると判別し、第１加算平均値算出回路６の出力が第２加算平均値算出回路７の出力より大きければ（実際には出力以上としてよい。以下同様）ＰＡＬ−Ｍ方式であると判別する。
【００２２】
本構成例における異常フィールド数判別手段は、ＳＥＣＡＭ色復調回路２５，誤り数算出回路２７，異常フィールド数判別回路（モード判定回路１０に含むものとして図示せず）を備えるものとする。なお、ここで、入力された映像信号としてのコンポジット信号（複合映像信号）を輝度信号と色信号（しばしばクロマ信号とも呼ぶ）とに分離するＹＣ分離回路２１と、その色信号出力とＳ入力クロマ信号とをＳＷ２２で切り替えて自動カラー制御を行うＡＣＣ回路２３とを備えるものとする。
【００２３】
ＳＥＣＡＭ色復調回路２５は、デジタル信号の色信号をＦＭ（周波数変調）復調するＳＥＣＡＭ方式用のＦＭ復調回路である。誤り数算出回路（ＤＢ／ＤＲ判別誤り数算出回路）２７では、ＳＥＣＡＭ色復調回路２５で復調した結果の１フィールド中における色差信号（ＤＢ／ＤＲ）の判別誤りを算出しカウントする。
ここでは、ＦＭ復調を行い無変調部のＤＣレベルから行うＤＢ／ＤＲの判別と、前ラインの判別結果を用い判別に補正を行った結果とを、１フィールド毎に比較し不一致数をカウントすることとなる。異常フィールド数判別回路では、誤り数算出回路２７におけるカウント数が所定の閾値を越えるか否かで異常なフィールドを判定し、異常なフィールドの数が所定の閾値を越えるか否かを判別する。
【００２４】
モード判定回路１０として図示する放送方式判別手段は、ライン数判別手段の判別結果が６２５本であった場合、異常フィールド数判別手段の判別結果が、異常なフィールドの数に対する所定の閾値以上であればＰＡＬ方式であると判別し、その所定の閾値を超えなければＳＥＣＡＭ方式であると判別する。
【００２５】
なお、スイッチ（以下、ＳＷと略す）１は、１Ｈ（１水平）ラインメモリ２、３.５８ＭＨｚＢＰＦ（４），（５）の前段の加算器、３.５８ＭＨｚＢＰＦ（１１）、４.４３ＭＨｚＢＰＦ（１２）、のそれぞれに対し、コンポジット信号とＳ入力クロマ信号（Ｓ入力の場合のクロマ信号）との間で切り替えて信号を出力するスイッチである。一方、ＳＷ２２は、ＹＣ分離回路２１へ入力されたコンポジット信号の出力としてのクロマ信号と、Ｓ入力クロマ信号とから、ＡＣＣ回路２３への入力を切り替えるスイッチである。また、ＡＣＣ回路２３の出力は、ＳＥＣＡＭ色復調回路２５及び後述の色復調回路２４へ入力される。
【００２６】
上述のごとく本実施形態によれば、水晶発振器のような周辺部品を増やすことなく且つ検出も短く一定時間で、デジタル処理にて全世界の一般的なＴＶ放送方式を自動判別することが可能となる。例えば、ＤＶＤレコーダのようにＭＰＥＧ２でビデオ信号を圧縮するようなデジタル機器では、ＭＰＥＧエンジン部分を共通に全世界展開を容易に行うことができる。
【００２７】
本発明の他の実施形態に係るＴＶ信号判別装置は、上述のＴＶ信号判別装置において、デジタル信号の色信号から色差信号を色復調し、色復調した後の色差信号のバースト部分において、１ライン毎に極性が反転した回数を１フィールド中でカウントし、カウント数が所定の閾値を越えるか否かで、１ライン毎に極性が反転する信号を判定するライン極性反転信号判定手段を備えるものとする。また、放送方式判別手段では、ライン数判別手段，レベル比較手段，ライン極性反転判別手段，異常フィールド数判別手段の各手段の出力に加え、ライン極性反転信号判定手段の出力に基づいて、映像信号の放送方式を判別する。
【００２８】
図１で例示する本構成例におけるライン極性反転信号判定手段は、色復調回路２４，反転回数計測回路２６を備えるものとする。色復調回路２４では、デジタル信号の色信号から色差信号を復調する。反転回数計測回路（Ｒ−Ｙ反転回数計測回路として図示）２６では、色復調回路２４の復調結果におけるバースト部分の色差（Ｒ−Ｙ）軸が１フィールド中に反転する回数をカウントする。すなわち、Ｒ−Ｙ反転回数計測回路２６では、復調したバーストのＲ−Ｙ軸が１フィールド中に何回極性が反転したかをカウントすることとなる。
【００２９】
モード判定回路１０では、ＮＴＳＣ方式とＰＡＬ−Ｍ方式との判別に際し、優先的に、反転回数計測回路の出力が所定の閾値より小さければＮＴＳＣ方式であると判別し、反転回数計測回路の出力がその閾値以上であればＰＡＬ−Ｍ方式（１ライン毎に極性が反転する信号）であると判別する。なお、ここで優先的にとは、上述したＮＴＳＣ方式とＰＡＬ−Ｍ方式との判別より優先的にここでの判別結果を採用するようにする、ということを意味する。
【００３０】
上述のごとき構成により、本発明の他の実施形態によれば、前述の実施形態と同様の効果に加え、より確実にＮＴＳＣ方式とＰＡＬ−Ｍ方式との判別が可能となる。
【００３１】
以下、上述した各実施形態に係るＴＶ信号判別装置の各手段の出力に基づいて、モード判定回路１０にて入力映像信号のモードを判定する処理を説明する。
【００３２】
ＴＶ信号をＡＤコンバータ（図示せず）によりデジタル信号に変換し、同期分離回路３１，ＹＣ分離回路２１，色復調回路２４（におけるバースト復調）にて所定の処理を行う。このデジタル回路のクロックは、入力のバーストに位相ロックしたクロックである。ＴＶ信号は、１フレームの走査線数が５２５本のＮＴＳＣ，擬似ＰＡＬ，ＰＡＬ−Ｍと、６２５本のＰＡＬ，ＳＥＣＡＭ，ＰＡＬ−Ｎに二分できる。従って、まず同期分離回路３１にて垂直同期と水平同期を分離し、ライン数判別回路３２にて垂直同期間隔中の水平同期数から５２５本系か６２５本系かを判別する。この判別の結果、５２５本系の場合における判別方法について以下に示す。
【００３３】
コンポジット入力とＳ入力の場合のクロマ信号とをＳＷ１でセレクト後、３.５８ＭＨｚＢＰＦ（１１）と４.４３ＭＨｚＢＰＦ（１２）に入力し、その出力におけるバースト部分をフィールド単位で平均値を算出し、そのレベルをコンパレータ１５で比較し、その結果をモード判定回路１０に出力する。
【００３４】
４.４３ＭＨｚＢＰＦ（１２）出力の方が大きい場合は、擬似ＰＡＬと判定する。３.５８ＭＨｚＢＰＦ（１１）の方が大きい場合は、ＮＴＳＣとＰＡＬ−Ｍのどちらかである。このＮＴＳＣかＰＡＬ−Ｍかの判別のために、１Ｈラインメモリをメモリ２，３の２個用い、隣り合った２ライン及び２ライン先間の加算を行う。バースト部においてＮＴＳＣの場合は、ライン毎に極性が反転するので、２ラインを加算すると殆ど０となり、２ライン先間を加算すると同極性なので２倍となる。一方、バースト部においてＰＡＬ−Ｍの場合は、２ライン先で極性が反転するので、２ライン先間を加算すると殆ど０となり、２ラインを加算すると同極性なので２倍となる。これらのライン間の加算結果をフィールド単位で平均値を算出し、コンパレータ８で比較し、その結果をモード判定回路１０に出力する。
【００３５】
この他、上述した他の実施形態で説明したように、更に判定の正確性を高めるために色復調したバーストレベルを用いる。ＰＡＬ−Ｍではライン毎にＲ−Ｙが反転し、サブキャリア周波数はＮＴＳＣとあまり変わらない。色復調回路２４でバースト復調し、復調したバーストレベルが所定の閾値（スレッシュともいう）以上のものが１フィールド中に何回反転しているかをＲ−Ｙ反転回数計測回路２６で計測し、その結果をモード判定回路１０に出力する。モード判定回路１０では、２ラインの加算結果とＲ−Ｙの反転回数及び復調したバーストレベルからＮＴＳＣとＰＡＬ−Ｍとを判別する。
【００３６】
次に、６２５本系の場合も５２５本系と同様に３.５８ＭＨｚと４.４３ＭＨｚとでＢＰＦ出力のレベルを比較し、３.５８ＭＨｚの方が大きい場合はＰＡＬ−Ｎと判定する。そうでない場合、以下のごとく、復調したバーストのレベルがＰＡＬ仕様の場合はＰＡＬと判定し、そうでない場合において以下の条件が満足したときにＳＥＣＡＭと判定する。
【００３７】
ＳＥＣＡＭは、ＦＭで変調された色差信号（ＤＢ／ＤＲ）を線順次で伝送するので、受信機側ではＦＭ復調後の無変調領域のＤＣレベルからＤＢ／ＤＲ判別を行う必要がある。ただ、ＤＣレベルから判別するだけではＶＨＳテープのように劣化した信号では誤判別がさけられない。例えば、ＤＲの方がキャリア周波数が高いので復調したＤＣレベルはＤＢとの識別閾値を上回るはずであるが、前ラインをＤＢと判別している場合のみ現在のラインをＤＲと判別するような補正処理が必要となる。この補正結果と生の判別結果をフィールド単位で比較し、異なった数をカウントする。
【００３８】
異なった数が１フィールド中の例えば１／３以上の場合、入力がＳＥＣＡＭ信号でない場合と考えられる。従ってこのような異常なフィールドの数をカウントし、その数が閾値以上の場合はＰＡＬと判定し、閾値以下の場合はＳＥＣＡＭと判定する。
【００３９】
【発明の効果】
本発明によれば、水晶発振器のような周辺部品を増やすことなく且つ検出も短く一定時間で、デジタル処理にて全世界の一般的なＴＶ放送方式を自動判別することが可能となる。
【図面の簡単な説明】
【図１】本発明の一実施形態に係るＴＶ信号判別装置の一構成例を示すブロック図である。
【図２】従来技術によるＴＶ信号判別装置の一構成例を示すブロック図である。
【符号の説明】
１，２２…ＳＷ、２…第１の１Ｈラインメモリ、３…第２の１Ｈラインメモリ、４，５，１１…３.５８ＭＨｚＢＰＦ、６…第１加算平均値算出回路、７…第２加算平均値算出回路、８…コンパレータ、１０…モード判定回路、１２…４.４３ＭＨｚＢＰＦ、１３…第１平均値算出回路、１４…第２平均値算出回路、１５…コンパレータ、２１…ＹＣ分離回路、２３…ＡＣＣ回路、２４…色復調回路、２５…ＳＥＣＡＭ色復調回路、２６…反転回数計測回路、２７…誤り数算出回路、３１…同期分離回路、３２…ライン数判別回路。
【図１】
2004208143.tif 000003
【図２】
2004208143.tif 000004